(57)【要約】【課題】  表示画面に視標が表示される第二の表示モードに表示部がおかれた状態で格別な作業を行うことなく容易に光学素子を入れ替えることができる自覚式検眼装置を提供する。【解決手段】  操作部２４の操作に基づいて視標呈示部１３、矯正装置１４及び表示部２５の作動をそれぞれ制御するＣＰＵ２８は、光学素子である矯正レンズのレンズデータ３４が表示される第一の表示モードから視標１１が表示される第二の表示モードに表示部２５が切り替わった状態で、レンズデータ３４を表示部２５の表示画面３７に視標１１と共に表示させる。【選択図】  図２
2008148930.tif 000002
【特許請求の範囲】
【請求項１】
被検眼に呈示する各種の視標が表示される視標呈示部と、各種の光学素子を保持し、該各光学素子を通して前記視標を見た被検者からの応答に対応した種類の前記光学素子を前記被検眼と前記視標呈示部との間に選択的に配置するための光学素子配置装置と、前記各視標及び前記各光学素子をそれぞれ選択すべく操作される操作部と、該操作部の操作により選択された前記視標及び前記光学素子の光学素子データをそれぞれ表示するための表示画面を有し、前記光学素子データが表示される第一の表示モードと前記視標が表示される第二の表示モードとが切替可能な表示部と、前記操作部の操作に基づいて前記視標呈示部、前記光学素子配置装置及び前記表示部の作動をそれぞれ制御する制御部とを備え、該制御部は、前記表示部が前記第二の表示モードにおかれた状態で、前記光学素子データを前記表示画面に前記視標と共に表示させることを特徴とする自覚式検眼装置。
【請求項２】
前記制御部は、前記表示部が前記第二の表示モードにおかれている間、前記光学素子データを前記表示画面に表示させ続けることを特徴とする請求項１に記載の自覚式検眼装置。
【請求項３】
前記制御部は、前記表示部が前記第二の表示モードにおかれた状態で前記光学素子を選択すべく前記操作部が操作されたとき、前記光学素子データを前記表示画面に表示させることを特徴とする請求項１に記載の自覚式検眼装置。
【請求項４】
前記制御部は、前記表示部が前記第二の表示モードにおかれた状態で前記操作部の操作に基づいて前記光学素子データを前記表示画面に表示させ、前記操作部が所定の時間操作されないことを検知したとき、該操作部の操作が終了したと判断し、前記表示画面から前記光学素子データの表示を消すことを特徴とする請求項３に記載の自覚式検眼装置。
【請求項５】
前記制御部は、前記表示部が前記第二の表示モードにおかれた状態で、前記被検者による前記視標の視認を妨げない位置で前記光学素子データを前記表示画面に表示させることを特徴とする請求項１乃至４のいずれか一項に記載の自覚式検眼装置。
【請求項６】
前記表示部は、前記表示画面が前記被検者に対向するように該被検者の前方に配置されており、検者は前記被検者の側方に位置しており、前記光学素子データは、前記表示画面の左右方向の中央部よりも前記検者側に位置する領域に表示され、前記視標は、前記表示画面に前記領域以外の領域で表示されることを特徴とする請求項５に記載の自覚式検眼装置。
【請求項７】
前記表示画面には、前記光学素子データが表示される表示欄が設けられており、該表示欄は、前記表示画面に複数の前記視標が前記表示画面の上下方向に沿って配列して表示されるときは該表示画面の上下方向に沿って伸び、且つ、前記表示画面に複数の前記視標が前記表示画面の左右方向に沿って配列して表示されるときは該表示画面の左右方向に沿って伸びるように、前記表示画面上に配置されることを特徴とする請求項５又は６に記載の自覚式検眼装置。
【発明の詳細な説明】
【技術分野】
【０００１】
本発明は、被検眼の視機能を被検者の自覚的な判断に基づいて検査するための自覚式検眼装置に関する。
【背景技術】
【０００２】
従来、眼鏡を作成する際に該眼鏡のレンズの屈折度数を定めるために、被検者の各眼の視機能を被検者の応答に基づいて検査するための自覚式検眼装置が知られている（例えば、特許文献１参照。）。
【０００３】
このような自覚式検眼装置は、各種の視標を被検眼に呈示する視標呈示部と、被検眼の視機能を矯正するための光学素子である複数のレンズを保持し、被検者からの応答に応じた屈折力を有するレンズを被検眼と視標呈示部との間に選択的に配置する光学素子配置装置と、視標呈示部及び光学素子配置装置の作動を制御するコントローラとを備える。コントローラは、被検眼に呈示する視標及びレンズをそれぞれ選択するために操作される操作部と、該操作部に選択された視標及びレンズのレンズデータをそれぞれ表示するための表示部とを備える。表示部は、視標及びレンズデータが表示される表示画面を有し、該表示画面にレンズデータが表示される第一の表示モードと表示画面に視標が表示される第二の表示モードとが切替可能である。
【０００４】
遠方を見た状態での被検眼の視機能を検査する際、被検者は、視標呈示部に表示された視標をレンズを通して視認し、その視標の見え具合を検者に応答する。検者は、被検者からの応答に基づいて、第一の表示モードにおかれた表示部の表示画面に表示されたレンズデータを見ながら操作部を操作することによりレンズを選択し、光学素子配置装置に配置されたレンズを他のレンズに入れ替える。他方、近方を見た状態での被検眼の視機能を検査する際、検者は、表示部を第一の表示モードから第二の表示モードに切り替えることにより表示画面に視標を表示させ、該視標を被検者に呈示し、遠用検査と同様に、被検者からの応答に基づいて矯正レンズを被検眼の見え方に応じた矯正レンズに入れ替える。
【０００５】
これにより、遠方視状態及び近方視状態での被検眼の視機能が矯正され、作成すべき眼鏡のレンズの屈折力の値を定めることができる。
【特許文献１】特開２００２−１４３０９２号公報
【発明の開示】
【発明が解決しようとする課題】
【０００６】
しかしながら、表示画面に視標が表示される第二の表示モードに表示部がおかれた状態では表示画面にレンズデータが表示されないことから、検者は、近用検査時に表示画面に表示された視標を被検眼に呈示した状態でレンズデータを視認することができない。このため、検者は、近用検査中に光学素子配置装置のレンズを入れ替えるとき、操作部の操作時にレンズデータを視認することができるように表示部を第二の表示モードから第一の表示モードに切り替え、操作部の操作によりレンズを選択した後、表示部を第一の表示モードから第二の表示モードに再度切り替える必要がある。従って、近用検査中にレンズのような光学素子を入れ替える度に、該光学素子を選択するための操作とは別に、レンズデータを表示画面に表示させるための格別な作業を行う必要があるため、近用検査中に光学素子を入れ替える作業が煩雑になり、検査時間の延長を招く。
【０００７】
そこで、本発明の目的は、表示画面に視標が表示される第二の表示モードに表示部がおかれた状態で格別な作業を行うことなく容易に光学素子を入れ替えることができる自覚式検眼装置を提供することにある。
【課題を解決するための手段】
【０００８】
上記課題を解決するために、請求項１に記載の発明は、被検眼に呈示する各種の視標が表示される視標呈示部と、各種の光学素子を保持し、該各光学素子を通して前記視標を見た被検者からの応答に対応した種類の前記光学素子を前記被検眼と前記視標呈示部との間に選択的に配置するための光学素子配置装置と、前記各視標及び前記各光学素子をそれぞれ選択すべく操作される操作部と、該操作部の操作により選択された前記視標及び前記光学素子の光学素子データをそれぞれ表示するための表示画面を有し、前記光学素子データが表示される第一の表示モードと前記視標が表示される第二の表示モードとが切替可能な表示部と、前記操作部の操作に基づいて前記視標呈示部、前記光学素子配置装置及び前記表示部の作動をそれぞれ制御する制御部とを備え、該制御部は、前記表示部が前記第二の表示モードにおかれた状態で、前記光学素子データを前記表示画面に前記視標と共に表示させることを特徴とする。
【０００９】
請求項２に記載の発明は、請求項１に記載の発明において、前記制御部は、前記表示部が前記第二の表示モードにおかれている間、前記光学素子データを前記表示画面に表示させ続けることを特徴とする。
【００１０】
請求項３に記載の発明は、請求項１に記載の発明において、前記制御部は、前記表示部が前記第二の表示モードにおかれた状態で前記光学素子を選択すべく前記操作部が操作されたとき、前記光学素子データを前記表示画面に表示させることを特徴とする。
【００１１】
請求項４に記載の発明は、請求項３に記載の発明において、前記制御部は、前記表示部が前記第二の表示モードにおかれた状態で前記操作部の操作に基づいて前記光学素子データを前記表示画面に表示させ、前記操作部が所定の時間操作されないことを検知したとき、該操作部の操作が終了したと判断し、前記表示画面から前記光学素子データの表示を消すことを特徴とする。
【００１２】
請求項５に記載の発明は、請求項１乃至４のいずれか一項に記載の発明において、前記制御部は、前記表示部が前記第二の表示モードにおかれた状態で、前記被検者による前記視標の視認を妨げない位置で前記光学素子データを前記表示画面に表示させることを特徴とする。
【００１３】
請求項６に記載の発明は、請求項５に記載の発明において、前記表示部は、前記表示画面が前記被検者に対向するように該被検者の前方に配置されており、検者は前記被検者の側方に位置しており、前記光学素子データは、前記表示画面の左右方向の中央部よりも前記検者側に位置する領域に表示され、前記視標は、前記表示画面に前記領域以外の領域で表示されることを特徴とする。
【００１４】
請求項７に記載の発明は、請求項５又は６に記載の発明において、前記表示画面には、前記光学素子データが表示される表示欄が設けられており、該表示欄は、前記表示画面に複数の前記視標が前記表示画面の上下方向に沿って配列して表示されるときは該表示画面の上下方向に沿って伸び、且つ、前記表示画面に複数の前記視標が前記表示画面の左右方向に沿って配列して表示されるときは該表示画面の左右方向に沿って伸びるように、前記表示画面上に配置されることを特徴とする。
【発明の効果】
【００１５】
請求項１に記載の発明によれば、光学素子の光学素子データが表示される第一の表示モードと視標が表示される第二の表示モードとが切替可能な表示部の表示画面には、表示部が第二の表示モードにおかれた状態で、制御部の制御下で光学素子データが視標と共に表示されることから、検者は、例えば近方を見た状態での被検眼の視機能を検査する近用検査時に第二の表示モードにおかれた状態で表示画面に表示された視標を被検眼に呈示した状態で光学素子データを視認することができる。
【００１６】
これにより、検者は、表示画面に表示された視標を用いた近用検査中に光学素子配置装置の光学素子を入れ替えるとき、光学素子を選択するための操作とは別に、光学素子データを表示画面に表示させるための従来のような格別な作業を行う必要はないので、近用検査中に光学素子を入れ替える度に従来のような格別な作業を行う場合に比べて、光学素子の入替え作業を確実に容易に行うことができる。
【００１７】
従って、光学素子の入替え作業が煩雑になることによる従来のような検査時間の延長を確実に防止することができる。
【００１８】
請求項２に記載の発明によれば、制御部は、表示部が第二の表示モードにおかれている間、光学素子データを表示画面に表示させ続けることから、検者は、表示部が第二の表示モードにおかれた状態で光学素子データを常時視認することができる。
【００１９】
請求項３に記載の発明によれば、表示部が第二の表示モードにおかれた状態で、光学素子を選択すべく操作部が操作されたとき、制御部の制御下で光学素子データが表示画面に表示されることから、例えば近用検査時に表示部が第二の表示モードにおかれた状態で表示画面に表示された視標を被検眼に呈示している間のように検者が光学素子データを視認する必要がないときは光学素子データは表示画面に表示されず、光学素子配置装置の光学素子を選択するために操作部を操作するときのように検者が光学素子データを視認する必要があるときに光学素子データが表示画面に表示される。
【００２０】
従って、表示画面に視標が表示される第二の表示モードにおいて操作部の操作時にのみ光学素子データが表示画面に表示されることから、第二の表示モードで光学素子データが表示画面に常に表示されている場合とは異なり、被検眼の近方検査中であって操作部を操作していないときに被検眼の視界に光学素子データが入ることはない。これにより、被検眼の検査中に光学素子データが視界に入る場合に比べて、被検者に視標をより集中させて視認させることができるので、被検眼の視機能をより正確に測定することができる。
【００２１】
請求項４に記載の発明によれば、制御部は、表示部が第二の表示モードにおかれた状態で操作部の操作に基づいて光学素子データを表示画面に表示させ、操作部が所定の時間操作されないことを検知したとき、該操作部の操作が終了したと判断し、表示画面から光学素子データの表示を消すことから、操作部の操作が終了した後、前記所定の時間が経過したとき、表示画面に表示された光学素子データの画像を表示画面から消すことができる。これにより、表示画面に表示された光学素子データの画像を表示画面から消すために格別な操作を行う場合に比べて、検査時間の短縮をより確実に図ることができる。
【００２２】
請求項５に記載の発明によれば、光学素子データは、制御部の制御下で、表示部が第二の表示モードにおかれた状態で被検者による視標の視認を妨げない位置で表示画面に表示されることから、表示部を第二の表示モードにおかれた状態で、表示画面に表示された光学素子データの画像が被検者による視標の視認の妨げになることによって被検者に混乱が生じることを、確実に防止することができる。これにより、被検者に混乱が生じることによる被検眼の視機能の誤測定を確実に防止することができる。
【００２３】
請求項６に記載の発明によれば、表示部は、表示画面が被検者に対向するように該被検者の前方に配置されており、検者は被検者の側方に位置しており、光学素子データは、表示画面の左右方向の中央部よりも検者側に位置する領域に表示されることから、光学素子データが表示画面に前記領域以外の領域に表示された場合に比べて、表示画面に表示された光学素子データを見たときの検者の視線と表示画面とのなす角度が大きくなる。これにより、表示画面が例えば液晶パネルで構成された場合に該液晶パネルの視野角が狭い場合でも、光学素子データが前記領域以外の領域に表示された場合に比べて、表示画面に表示された光学素子データを明確に視認することができる。
【００２４】
請求項７に記載の発明によれば、光学素子データが表示される表示欄は、表示画面に複数の視標が表示画面の上下方向に沿って配列して表示されるときは該表示画面の上下方向に沿って伸びるように表示画面上に配置され、表示画面に複数の視標が表示画面の左右方向に沿って配列して表示されるときは該表示画面の左右方向に沿って伸びるように表示画面上に配置されることから、表示欄は、検査時に表示画面に表示された各視標を見る被検眼の移動方向に沿って伸びる。これにより、表示画面に表示された各視標と表示欄との間隔がその伸長方向に沿ってほぼ一様になるので、被検眼の検査時に被検眼が各視標をその配列方向に順次見たとき、表示欄が各視標の配列方向に直交する方向に沿って伸びるように表示画面に表示される場合とは異なり、被検眼が移動するに従って該被検眼に映る光学素子データが少しずつ明確になったり少しずつ不明確になったりすることはない。従って、被検眼の移動時に該被検眼に映る光学素子データの明確さが変化することによって視標を見る被検眼の視認の妨げになることを、確実に防止することができる。
【発明を実施するための最良の形態】
【００２５】
本発明を図示の実施例に沿って説明する。
【実施例】
【００２６】
本発明に係る自覚式検眼装置１０は、図１に示すように、被検者１２の被検眼に呈示する各種の視標１１を表示するための視標呈示部１３と、被検眼の視機能を矯正するための矯正装置１４とを備える。自覚式検眼装置１０は、従来よく知られているように、図示しない眼鏡を作成する際に該眼鏡のレンズの屈折度数を定めるために用いられる。
【００２７】
視標呈示部１３は、視標１１が表示される表示画面１６を有する。表示画面１６は、図示の例では、液晶パネルで構成されており、表示画面１６に表示される視標１１は、後述するコントローラ１５の操作により選択される。
【００２８】
視標呈示部１３と被検者１２との間には、検眼テーブル１８が配置されており、該検眼テーブルには、該検眼テーブルからその上方へ伸びる支柱１９が設けられている。支柱１９の上部には横方向に伸びるアーム２０が設けられており、該アームに矯正装置１４が取り付けられている。検者２３は、被検眼の検査時、検眼テーブル１８の側方に位置している。
【００２９】
矯正装置１４は、左右方向に並べて配置された一対のフォロプタ２１を備える。各フォロプタ２１は、それぞれ検眼窓２２が形成されたハウジング２１ａを備える。各ハウジング２１ａ内には、図示しないが従来と同様に、互いに屈折力の異なる複数の矯正レンズが周方向に沿って設けられた環状のレンズディスクが回転可能に収納されている。すなわち、矯正装置１４は、光学素子である前記矯正レンズを被検眼と視標呈示部１３との間に選択的に配置する光学素子配置装置を構成している。前記各矯正レンズは、前記コントローラ１５の制御下で前記レンズディスクの回転により各検眼窓２２内に選択的に配置される。
【００３０】
更に、本発明に係る自覚式検眼装置１０は、矯正装置１４及び視標呈示部１３の作動を制御するための前記したコントローラ１５を備える。
【００３１】
コントローラ１５は、検眼テーブル１８上に載置されており、図２及び図３に示すように、検者２３（図１参照。）により操作される操作部２４と、視標１１及び操作部２４の操作内容を示す操作画像をそれぞれ表示するための表示部２５と、操作部２４の操作に基づいて視標呈示部１３、矯正装置１４及び表示部２５の作動を制御する演算制御回路２６と、表示部２５及び視標呈示部１３に接続された画像出力部２７とを有する。
【００３２】
演算制御回路２６は、図２に示すように、ＣＰＵ２８及びメモリ部２９を有する。ＣＰＵ２８は、操作部２４及び画像出力部２７に接続されており、更に、矯正装置１４に設けられた図示しない駆動制御部に接続されている。メモリ部２９には、被検眼の遠方視状態での視機能を検査する遠用検査時に用いられる各種の視標１１及び被検眼の近方視状態での視機能を検査する近用検査時に用いられる各種の視標１１のそれぞれを示す視標データ３０と、操作画像を示す操作画像データ３１と、ＣＰＵ２８による算出のための各種の計算プログラム３３と、前記各矯正レンズの球面度数、乱視度数、軸角度、水平方向のプリズム量Ｈ及び垂直方向のプリズム量Ｖ等の屈折力を示すレンズデータ３４とがそれぞれ記憶されている。
【００３３】
操作部２４には、図３に示すように、各フォロプタ２１の検眼窓２２内に配置する前記矯正レンズを選択するためのダイヤル３５や、後述するようにレンズデータ３４が表示される第一の表示モードと視標１１が表示される第二の表示モードとに表示部２５を切り換えるための表示切替スイッチ３６等の、検査の設定のための各種スイッチが設けられている。
【００３４】
ＣＰＵ２８は、操作部２４のダイヤル３５が操作されると、該ダイヤルの操作位置に応じた屈折力を示すレンズデータ３４をメモリ部２９から抽出し、抽出したレンズデータ３４が示す屈折力を有する前記矯正レンズを各フォロプタ２１の検眼窓２２内に配置する旨の制御信号を矯正装置１４の前記駆動制御部に制御信号を送る。これにより、ダイヤル３５の操作により選択された屈折力を有する前記矯正レンズが各フォロプタ２１の検眼窓２２内に配置される。
【００３５】
また、ＣＰＵ２８は、ダイヤル３５が操作されると、メモリ部２９から抽出したレンズデータ３４を示す信号を画像出力部２７に送る。
【００３６】
更に、ＣＰＵ２８は、表示切替スイッチ３６の操作により表示部２５の表示モードが第一の表示モードと第二の表示モードとの間で切り替わったとき、各表示モードに対応する操作画像データ３１をメモリ部２９から抽出し、各表示モード専用の操作画像データ３１を示す信号を画像出力部２７に送る。
【００３７】
表示部２５は、図２に示すように、操作部２４の前記各スイッチの操作により操作画像及び視標１１がそれぞれ表示される表示画面３７を有する。また、表示部２５は、図３に示す例では、その下縁部２５ａで、操作部２４の縁部２４ａに該縁部に沿って設けられた図示しない軸部材を介して該軸部材の周りに回動可能に支持されている。表示部２５は、前記したように、表示切替スイッチ３６の操作により、前記した第一の表示モードと前記した第二の表示モードとが切替可能である。表示画面３７は、図示の例では、液晶パネルで構成されている。
【００３８】
表示部２５が第一の表示モードにおかれた状態では、表示画面３７には、図４に示すように、操作部２４のダイヤル３５の操作により選択された前記矯正レンズのレンズデータ３４が表示される屈折力表示欄３８が設けられている。更に、図示の例では、表示画面３７には、視標呈示部１３の表示画面１６に表示される遠用検査用の視標１１の種類及び第二の表示モードで表示部２５の表示画面３７に表示される近用検査用の視標１１の種類の一覧がそれぞれ表示される一覧表示欄３９と、検査に用いるべく一覧表示欄３９から選択された視標１１が表示される視標表示欄４０とが設けられている。すなわち、本実施例では、表示部２５が第一の表示モードにおかれた状態で、レンズデータ３４と共に視標１１を表示画面３７に表示可能である。
【００３９】
屈折力表示欄３８、一覧表示欄３９及び視標表示欄４０は、それぞれメモリ部２９に記憶された操作画像データ３１に含まれている。
【００４０】
また、本実施例では、表示画面３７上に図示しないタッチパネルが設けられている。前記タッチパネルは、一覧表示欄３９上に配置されており、図示しないが従来よく知られているように、複数の導電膜ストライプが互いに平行に形成され且つ両端部に抵抗膜が設けられた透明のフィルムやガラス等の一対のパネル部材を各導電膜ストライプが互いに直交するように貼り合わせることにより形成されている。前記タッチパネルの表面が押下されたとき、前記各パネル部材に形成された前記各導電膜ストライプが互いに接触することにより電気的に導通したとき、前記各抵抗膜に現れる電圧に基づいて、一方の前記パネル部材の複数の前記導電膜ストライプのうちのいずれの前記導電膜ストライプが他方の前記パネル部材の複数の前記導電膜ストライプのうちのいずれの前記導電膜ストライプに接触したことがタッチセンサにより検出され、これにより、前記タッチパネルの押下された位置が特定される。従って、表示画面３７に表示された例えば一覧表示欄３９の各視標１１のうち検査に用いる視標１１を示す画像を表示画面３７上から押下することにより、一覧表示欄３９から視標１１を選択することができる。前記タッチセンサは、押下された位置を検出すると、該位置を示す検出信号をＣＰＵ２８に送る。
【００４１】
ＣＰＵ２８は、前記タッチセンサから検出信号を受けると、該検出信号に示された押下位置の視標１１に対応する視標データ３０をメモリ部２９から抽出し、抽出した視標データ３０を示す信号を画像出力部２７に送る。
【００４２】
他方、表示部２５が、表示画面３７に視標１１が表示される第二の表示モードにおかれた状態では、表示画面３７には、図５に示す例では、レンズデータ３４が表示される屈折力表示欄４１が設けられている。屈折力表示欄４１は、図示の例では、表示画面３７に表示された視標１１に重ならないように、表示画面３７の下部に設けられている。屈折力表示欄４１には、図示の例では、前記矯正レンズのレンズデータ３４のうち球面度数、乱視度数、軸角度、加入、水平方向のプリズム量Ｈ及び垂直方向のプリズム量Ｖの値が示されている。屈折力表示欄４１は、メモリ部２９に記憶された操作画像データ３１に含まれている。
【００４３】
画像出力部２７は、図２に示す例では、ＣＰＵ２８から受ける操作画像データ３１を示す操作画像信号を出力するための第一の出力ポート４３と、ＣＰＵ２８から受ける視標データ３０を示す視標画像信号を出力するための第二の出力ポート４４と、ＣＰＵ２８から受けるレンズデータ３４を示す屈折力画像信号を出力するための第三の出力ポート４５とを有する。図示の例では、第一の出力ポート４３及び第三の出力ポート４５はそれぞれ表示部２５に接続されており、第二の出力ポート４４は表示部２５及び視標呈示部１６に接続されている。
【００４４】
表示部２５が第一の表示モードにおかれた状態では、画像出力部２７は、ＣＰＵ２８から第一の表示モード用の操作画像データ３１を示す信号を受けると、第一の表示モード用の操作画像を表示画面３７に表示させることを示す操作画像信号を第一の出力ポート４３を介して表示部２５に出力する。これにより、表示部２５の表示画面３７には、第一の表示モード用の操作画像データ３１に含まれる屈折力表示欄３８、一覧表示欄３９及び視標表示欄４０がそれぞれ図４に示すように表示される。
【００４５】
また、画像出力部２７は、第一の表示モードでＣＰＵ２８からレンズデータ３４を示す信号を受けると、操作画像データ３１に含まれる屈折力表示欄３８にレンズデータ３４が示す屈折力を表示する旨の屈折力画像信号を第三の出力ポート４５を介して表示部２５に出力する。これにより、表示部２５の表示画面３７の屈折力表示欄３８には、図４に示すように、ダイヤル３５の操作により選択された前記矯正レンズの屈折力の値が表示される。
【００４６】
更に、画像出力部２７は、第一の表示モードでＣＰＵ２８から遠用検査用の視標データ３０を示す信号を受けると、該視標データが示す遠用検査用の視標１１を操作画像の視標表示欄４０に表示させる旨の視標画像信号を第二の出力ポート４４を介して表示部２５に出力する。これにより、表示部２５の視標表示欄４０には、図４に示すように、表示部２５で選択された遠用検査用の視標１１が表示される。
【００４７】
すなわち、第一の表示モードでは、視標１１及びレンズデータ３４は、それぞれ表示画面３７に操作画像の視標表示欄４０及び屈折力表示欄３８がそれぞれ表示されることにより表示画面３７に表示可能となり、それぞれ視標表示欄４０及び屈折力表示欄３８に表示されることにより視標表示欄４０及び屈折力表示欄３８を介して表示画面３７に表示される。
【００４８】
また、画像出力部２７は、第一の表示モードでＣＰＵ２８から遠用検査用の視標データ３０を示す信号を受けると、視標データ３０が示す遠用検査用の視標１１を表示画面１６に表示させる旨の視標画像信号を第二の出力ポート４４を介して視標呈示部１３に出力する。これにより、視標呈示部１３の表示画面１６には、図１に示すように、表示部２５で選択された遠用検査用の視標１１が表示される。
【００４９】
他方、表示部２５が第二の表示モードにおかれた状態では、画像出力部２７は、ＣＰＵ２８から近用検査用の視標データ３０を示す信号を受けると、該視標データが示す近用検査用の視標１１を表示画面３７に表示する旨の視標画像信号を第二の出力ポート４４を介して表示部２５に出力する。これにより、表示部２５の表示画面３７には、図５に示すように、表示部２５で選択された近用検査用の視標１１が表示画面３７のほぼ全域に亘って表示される。
【００５０】
また、画像出力部２７は、第二の表示モードでＣＰＵ２８から第二の表示モード用の操作画像データ３１を示す信号を受けると、第二の表示モード用の操作画像を表示画面３７に表示させることを示す操作画像信号を第一の出力ポート４３を介して表示部２５に出力する。これにより、表示部２５の表示画面３７には、第二の表示モード用の操作画像データ３１に含まれる屈折力表示欄４１が図５に示すように表示される。
【００５１】
更に、画像出力部２７は、第二の表示モードでＣＰＵ２８からレンズデータ３４を示す信号を受けると、レンズデータ３４が示す屈折力を屈折力表示欄４１に表示する旨の屈折力画像信号を第三の出力ポート４５を介して表示部２５に出力する。これにより、表示部２５の表示画面３７の屈折力表示欄４１には、図５に示すように、ダイヤル３５の操作により選択された前記矯正レンズの屈折力の値が表示される。すなわち、第二の表示モードでは、レンズデータ３４は、表示画面３７に操作画像の屈折力表示欄４１が表示されることにより、表示画面３７に表示可能となり、屈折力表示欄４１に表示されることにより該屈折力表示欄を介して表示画面３７に表示される。
【００５２】
遠方を見た状態での被検眼の視機能を検査する遠用検査時、検者２３は、先ず、表示部２５が第二の表示モードにおかれている場合には、操作部２４に設けられた表示切替スイッチ３６を操作することにより表示部２５を第一の表示モードに切り替える。このとき、前記したように、ＣＰＵ２８の制御下で画像出力部２７から表示部２５に第一の出力ポート４３を介して出力される操作画像信号により、第一の表示モード用の操作画像が表示部２５に表示される。
【００５３】
次に、検者２３は、検査に用いる遠用検査用の視標１１を表示部２５の一覧表示欄３９の操作により選択する。このとき、前記したように、選択された視標１１が表示部２５の視標表示欄４０及び視標呈示部１３の表示画面１６にそれぞれ表示される。検者２３は、視標表示欄４０に表示された視標１１を視認することにより、表示された視標１１が選択した視標１１に一致しているか否かを確認することができる。
【００５４】
続いて、検者２３は、視標呈示部１３の表示画面１６に表示された視標１１を各検眼窓２２内に配置された前記各矯正レンズを通して被検者１２に見させ、その見え具合を聞く。検者２３は、被検者１２の応答に基づいて、各検眼窓２２内に配置する前記矯正レンズを操作部２４のダイヤル３５の操作により切り替える。このとき、ダイヤル３５の操作により選択された前記矯正レンズのレンズデータ３４が、前記したように、表示部２５の屈折力表示欄３８に表示されるので、検者２３はそのレンズデータ３４を視認しながらダイヤル３５を操作することができる。前記矯正レンズを切り替えることにより、被検眼の視機能が矯正され、作成すべき眼鏡のレンズの屈折度数を定めることができる。
【００５５】
他方、近方を見た状態での被検眼の視機能を検査する近用検査時、検者２３は、先ず、コントローラ１５を図６に示すように、検眼テーブル１８上で被検者１２の前方に配置し、表示部２５を前記軸部材の周りに回動させることにより表示画面３７を各フォロプタ２１に対向させる。
【００５６】
次に、検者２３は、検査に用いる近用検査用の視標１１を表示部２５の一覧表示欄３９の操作により選択し、表示切替スイッチ３６の操作により表示部２５を第一の表示モードから第二の表示モードに切り替える。このとき、前記したように、ＣＰＵ２８の制御下で画像出力部２７から表示部２５に出力される操作画像信号、視標画像信号及び屈折力画像信号により、表示部２５の表示画面３７には、第二の表示モード用の操作画像、選択された近用検査用の視標１１及び選択された前記矯正レンズのレンズデータ３４がそれぞれ表示画面３７に表示される。
【００５７】
このとき、視標１１を表示画面３７に検査対象となる視力値と表示画面３７及び各フォロプタ２１間の距離とに応じた大きさで表示させるために、例えば本願出願人が先の出願（特願２００６−２１９４９２号）で提案したように、各フォロプタ２１及び表示画面３７間の距離をメモリ部２９の計算プログラム３３を用いて算出し、算出した距離に基づいて視標１１の大きさを検査対象となる視力値に応じた大きさに調節した後、大きさを調節した視標１１を表示画面３７に表示させることができる。
【００５８】
続いて、検者２３は、表示部２５の表示画面３７に表示された視標１１を各検眼窓２２内に配置された前記各矯正レンズを通して被検者１２に見させ、その見え具合を聞く。その後、検者２３は、遠用検査時と同様に、被検者１２の応答に基づいて、各検眼窓２２内に配置する前記矯正レンズを操作部２４のダイヤル３５の操作により切り替える。このとき、レンズデータ３４が、前記したように、表示画面３７の下部に設けられた屈折力表示欄４１に表示されているので、検者２３はそのレンズデータ３４を視認しながらダイヤル３５を操作することができる。
【００５９】
また、本発明に係る自覚式検眼装置１０を用いて被検眼の斜位度を測定する斜位検査を実行する際、視標呈示部１３の表示画面１６又は表示部２５の表示画面３７上に図示しない偏光板を貼り付け、視標呈示部１３又は表示部２５のバックライトを利用することにより、従来と同様に、斜位検査を行うことができる。又は、この方法に代えて、視標呈示部１３の表示画面１６又は表示部２５の表示画面３７に図示しないが従来よく知られたレッド・グリーン視標を表示させ、各フォロプタ２１の検眼窓２２にそれぞれ図示しないレッド・グリーンフィルタを設けることにより、左右の被検眼にそれぞれ個別の画像を呈示させて斜位検査を行うことができる。更に、これらの方法に代えて、例えば各フォロプタ２１内の前記レンズディスクに設けられた前記矯正レンズに図示しない液晶フィルタを設け、視標呈示部１３の表示画面１６又は表示部２５の表示画面３７に左眼用の視標１１と右眼用の視標１１とを交互に高速で入れ替えて表示させ、各視標１１の入れ替えに応じて前記各レンズディスクを回転させることによって前記液晶フィルタが設けられた前記矯正レンズと前記液晶フィルタが設けられていない前記矯正レンズとを交互に各フォロプタ２１の検眼窓２２内に配置することにより、左右の被検眼にそれぞれ個別の画像を呈示させて斜位検査を行うことができる。
【００６０】
本実施例によれば、前記したように、前記各矯正レンズのレンズデータ３４が表示される第一の表示モードと視標１１が表示される第二の表示モードとが切替可能な表示部２５の表示画面３７には、表示部２５が第二の表示モードにおかれた状態で、ＣＰＵ２８の制御下でレンズデータ３４が視標１１と共に表示されることから、検者２３は、近用検査時に第二の表示モードにおかれた状態で表示画面３７に表示された視標１１を被検眼に呈示した状態でレンズデータ３４を視認することができる。
【００６１】
これにより、検者２３は、表示画面３７に表示された視標１１を用いた近用検査中に矯正装置１４の前記各矯正レンズを入れ替えるとき、該各矯正レンズを選択するための操作とは別に、レンズデータ３４を表示画面３７に表示させるための従来のような格別な作業を行う必要はないので、近用検査中に前記各矯正レンズを入れ替える度に従来のような格別な作業を行う場合に比べて、前記各矯正レンズの入替え作業を確実に容易に行うことができる。
【００６２】
従って、前記各矯正レンズの入替え作業が煩雑になることによる従来のような検査時間の延長を確実に防止することができる。
【００６３】
また、前記したように、レンズデータ３４は、表示部２５が第二の表示モードにおかれている間、ＣＰＵ２８の制御下で表示画面３７に表示され続けることから、検者２３は、表示部２５が第二の表示モードにおかれた状態でレンズデータ３４を常時視認することができる。
【００６４】
更に、前記したように、表示部２５が第二の表示モードにおかれた状態では、レンズデータ３４は、表示画面３７に表示された視標１１に重ならないように表示画面３７の下部に表示されていることから、被検者１２による視標１１の視認を妨げない位置で表示画面３７に表示される。これにより、表示部２５を第二の表示モードにおかれた状態で、表示画面３７に表示されたレンズデータ３４の画像が被検者１２による視標１１の視認の妨げになることによって被検者１２に混乱が生じることを、確実に防止することができる。これにより、被検者１２に混乱が生じることによる被検眼の視機能の誤測定を確実に防止することができる。
【００６５】
また、前記したように、表示部２５が第一の表示モードにおかれた状態で、視標１１が表示画面３７に表示されることから、検者２３は、第一の表示モードにおかれた表示部２５の表示画面３７を見ることにより、レンズデータ３４を確認することができることに加え、操作部２５により選択された視標１１を容易に確認することができる。これにより、検者２３は、遠方を見た状態での被検眼の視機能を検査すべく視標呈示部１３に表示された視標１１を被検者１２に呈示したとき、第一の表示モードで表示画面３７に表示された視標１１を視認することにより、視標呈示部１３に表示された視標１１すなわち被検者１２に呈示された視標１１が操作部２４の操作により選択された視標１１と一致しているか否かを容易に確認することができる。従って、被検者１２に呈示された視標１１が前記タッチパネルの操作により選択された視標１１と一致しているか否かを確認するために検者２３が例えば視標呈示部１３を覗き込む場合に比べて、被検眼の視機能検査を円滑に進行することができる。
【００６６】
本実施例では、表示部２５が第二の表示モードにおかれている間、レンズデータ３４が表示画面３７に常時表示される例を示したが、これに代えて、表示部２５が第二の表示モードにおかれた状態で前記矯正レンズを選択すべく操作部２４が操作されたとき、レンズデータ３４を表示画面３７に表示させることができる。
【００６７】
この場合、ＣＰＵ２８は、表示部２５が第二の表示モードにおかれた状態で操作部２４のダイヤル３５が操作されたとき、該ダイヤルが操作されたことを検知し、該ダイヤルの操作位置に応じた屈折力を示すレンズデータ３４をメモリ部２９から抽出し、抽出したレンズデータ３４を示す信号を画像出力部２７に送る。また、ＣＰＵ２８は、表示部２５が第二の表示モードにおかれた状態でダイヤル３５が操作されたことを検知すると、第二の表示モードに対応する操作画像データ３１をメモリ部２９から抽出し、第二の表示モード用の操作画像データ３１を示す信号を画像出力部２７に送る。
【００６８】
画像出力部２７は、第二の表示モードでＣＰＵ２８からレンズデータ３４及び操作画像データ３１のそれぞれを示す信号を受けると、前記したと同様に、第二の表示モード用の操作画像を示す操作画像信号を第一の出力ポート４３を介して表示部２５に出力し、更に、屈折力表示欄４１にレンズデータ３４が示す屈折力を表示する旨の屈折力画像信号を第三の出力ポート４５を介して表示部２５に出力する。これにより、表示画面３７に屈折力表示欄４１が表示されると共に該屈折表示欄にダイヤル３５の操作により選択された前記矯正レンズのレンズデータ３４が表示される。第二の表示モードでの表示画面３７への屈折力表示欄４１の表示位置は、被検者１２による視標１１の視認を妨げないように、例えば図５に示したと同様に表示画面３７の下部に設定することができる。
【００６９】
更に、この場合、ＣＰＵ２８は、表示部２５が第二の表示モードにおかれた状態でダイヤル３５の操作を検知しなくなった時点すなわちダイヤル３５の操作が行われなくなった時点からの時間を計測し、計測した時間が所定の時間を経過したとき、ダイヤル３５の操作が終了したと判断し、表示部２５への操作画像信号及び屈折力画像信号のそれぞれの出力を停止する旨の制御信号を画像出力部２７に送る。このＣＰＵ２８による計時は、例えばメモリ部２９に記憶された計算プログラム３３を用いて行われる。
【００７０】
画像出力部２７は、ＣＰＵ２８からの制御信号に基づいて、表示部２５への操作画像信号及び屈折力画像信号のそれぞれの出力を停止する。これにより、表示画面３７から屈折力表示欄４１及びレンズデータ３４の表示が消える。
【００７１】
この例によれば、表示部２５が第二の表示モードにおかれた状態で、前記矯正レンズを選択すべく操作部２４のダイヤル３５が操作されたとき、ＣＰＵ２８の制御下でレンズデータ３４が表示画面３７に表示されることから、例えば近用検査時に表示部２５が第二の表示モードにおかれた状態で表示画面３７に表示された視標１１を被検眼に呈示している間のように検者２３がレンズデータ３４を視認する必要がないときはレンズデータ３４は表示画面３７に表示されず、矯正装置１４の前記矯正レンズを選択するためにダイヤル３５を操作するときのように検者２３がレンズデータ３４を視認する必要があるときにレンズデータ３４が表示画面３７に表示される。
【００７２】
従って、表示画面３７に視標１１が表示される第二の表示モードにおいてダイヤル３５の操作時にのみレンズデータ３４が表示画面３７に表示されることから、第二の表示モードでレンズデータ３４が表示画面３７に常に表示されている場合とは異なり、被検眼の近方検査中であってダイヤル３５を操作していないときに被検眼の視界にレンズデータ３４が入ることはない。これにより、被検眼の検査中にレンズデータ３４が視界に入る場合に比べて、被検者１２に視標１１をより集中させて視認させることができるので、被検眼の視機能をより正確に測定することができる。
【００７３】
また、この例によれば、ＣＰＵ２８は、表示部２５が第二の表示モードにおかれた状態でダイヤル３５の操作に基づいてレンズデータ３４を表示画面３７に表示させ、ダイヤル３５が所定の時間操作されないことを検知したとき、該ダイヤルの操作が終了したと判断し、表示画面３７からレンズデータ３４の表示を消すことから、ダイヤル３５の操作が終了した後、前記所定の時間が経過したとき、表示画面３７からレンズデータ３４の画像が消える。これにより、表示画面３７に表示されたレンズデータ３４の画像を表示画面３７から消すために格別な操作を行う場合に比べて、検査時間の短縮をより確実に図ることができる。
【００７４】
また、本実施例では、第二の表示モードで表示部２５の表示画面３７に表示される屈折力表示欄４１が、前記矯正レンズの球面度数、乱視度数、軸角度、加入、水平方向のプリズム量Ｈ及び垂直方向のプリズム量Ｖのデータを表示する６つの欄を左眼及び右眼のそれぞれに対応して有する例を示したが、これに代えて、例えば球面度数及び乱視度数のデータを表示する２つの欄を左眼及び右眼のそれぞれに対応して有する屈折力表示欄を本発明に適用することができる。
【００７５】
更に、本実施例では、第二の表示モードで表示部２５の表示画面３７に表示される屈折力表示欄４１に表示される前記矯正レンズのレンズデータ３４の種類が固定された例を示したが、これに代えて、屈折力表示欄４１に表示されるレンズデータ３４の種類を選択することができる。
【００７６】
この場合、前記矯正レンズのレンズデータ３４の種類を選択するための図示しないデータ選択スイッチを操作部２４に設けることができる。前記データ選択スイッチの操作により、レンズデータ３４の各種類を一つずつ選択することができ、また、複数の種類を同時に選択することができる。また、レンズデータ３４の各種類のデータが表示される各欄の画像は、それぞれメモリ部２９に記憶された操作画像データ３１に含まれる。
【００７７】
また、この場合、前記データ選択スイッチが操作されたとき、ＣＰＵ２８は、前記データ選択スイッチの操作により選択された種類を表示するための前記欄をメモリ部２９から抽出し、抽出した前記欄の画像を示すデータを画像出力部２７に送る。
【００７８】
また、ＣＰＵ２８は、前記データ選択スイッチが操作されると、選択された種類に対応するデータをメモリ部２９から抽出し、抽出したデータを示す信号を画像出力部２７に送る。
【００７９】
画像出力部２７は、ＣＰＵ２８から前記欄の画像を示す信号を受けると、該画像を表示画面３７に表示させることを示す操作画像信号を第一の出力ポート４３を介して表示部２５に出力する。これにより、表示部２５の表示画面３７には、前記データ選択スイッチの操作により選択された種類に対応する前記欄が表示される。
【００８０】
また、画像出力部２７は、ＣＰＵ２８から前記データ選択スイッチにより選択された種類に対応するデータを示す信号を受けると、該データが示す屈折力を前記欄に表示する旨の屈折力画像信号を第三の出力ポート４５を介して表示部２５に出力する。これにより、表示部２５の表示画面３７の前記欄には、前記データ選択スイッチの操作により選択されたレンズデータ３４の種類に対応する屈折力の値が表示される。
【００８１】
更に、本実施例において、球面度検査、乱視検査及び斜位検査等の検査の種類を選択するための図示しない検査選択スイッチを操作部２４に設けることができる。この場合、前記検査選択スイッチの操作により検査が選択されたとき、レンズデータ３４の各種類のうち少なくとも選択された検査に必要となるデータをＣＰＵ２８により抽出させ、抽出されたデータを表示画面３７に表示させることができる。すなわち、前記検査選択スイッチの操作により例えば斜位検査が選択されたとき、前記矯正レンズの少なくともプリズム量Ｈ及びプリズム量Ｖのデータがそれぞれ表示画面３７に表示される。
【００８２】
また、本実施例では、第二の表示モードでレンズデータ３４が表示される屈折力表示欄４１が表示部２５の表示画面３７の下部に設けられた例を示したが、これに代えて、近用検査時に表示部２５の表示画面３７が各フォロプタ２１に対向するようにコントローラ１５を検眼テーブル１８上に配置した図６に示す状態で、図７に示すように、屈折力表示欄４１を表示部２５の表示画面３７に該表示画面の左右方向の中央部よりも検者２３側（図７で見て右側である。）に位置する領域で表示し、近用検査用の視標１１を、表示画面３７に前記領域以外の領域で表示することができる。
【００８３】
例えば、屈折力表示欄４１が表示画面３７に該表示画面の左右方向の中央部よりも検者１３から離反する側の領域に表示された場合、図６に示すように、検眼テーブル１８の側方すなわち表示部２５の側方に位置する検者１３が表示画面３７に表示されたレンズデータ３４を表示部２５の斜め側方から見たとき、検者１３の視線（図６に点線で示されている。）と表示画面３７とのなす角度θが小さくなる。このため、表示画面３７を構成する液晶パネルの視野角が狭い場合、表示画面３７に表示されたレンズデータ３４が薄れて見える。このため、表示画面３７に表示されたレンズデータ３４を確認する作業が煩雑になる。
【００８４】
これに対し、図７に示す例によれば、レンズデータ３４は、表示画面３７の左右方向の中央部よりも検者１３側に位置する領域に表示されることから、レンズデータ３４が表示画面３７に前記領域以外の領域に表示された場合に比べて、表示画面３７に表示されたレンズデータ３４を表示部２５の斜め側方から見たときの検者１３の視線（図６に実線で示されている。）と表示画面３７とのなす角度θが大きくなる。これにより、表示画面３７を構成する液晶パネルの視野角が狭い場合でも、レンズデータ３４が表示画面３７に該表示画面の左右方向の中央部よりも検者１３から離反する側の領域に表示された場合に比べて、表示画面３７に表示されたレンズデータ３４を明確に視認することができる。
【００８５】
また、図７に示す例の場合、表示画面３７を視野角が広い液晶パネルで構成することにより、検者１３が表示画面３７に表示されたレンズデータ３４を表示部２５の斜め側方から見たときにレンズデータ３４をより明確に視認可能とすることができる。
【００８６】
更に、本実施例において、第二の表示モードで表示部２５の表示画面３７に表示される屈折力表示欄４１を、表示画面３７に複数の視標１１が表示画面３７の上下方向に沿って配列して表示されるときは該表示画面の上下方向に沿って伸びるように表示画面３７上に配置し、表示画面３７に複数の視標１１が表示画面３７の左右方向に沿って配列して表示されるときは該表示画面の左右方向に沿って伸びるように表示画面３７上に配置することができる。
【００８７】
この場合、複数の視標１１を表示画面３７の上下方向に沿って順次見せる検査と左右方向に沿って順次見せる検査との間での表示画面３７への屈折力表示欄４１の表示位置の切り替えは、例えば前記した検査選択スイッチの操作により行うことができる。
【００８８】
例えば、行列状に配置された複数の視標１１であるいわゆるランドルト環が表示画面３７に表示される場合、各視標１１を被検眼に表示画面３７の上下方向に沿って順次見せるとき、例えば図８（ａ）に示すように、屈折力表示欄４１を表示画面３７の左右方向の両端領域のうち一方の端領域に表示画面３７の上下方向に沿って伸びるように配置する。
【００８９】
他方、各視標１１を被検眼に表示画面３７の左右方向に沿って順次見せるとき、例えば図８（ｂ）に示すように、屈折力表示欄４１を表示画面３７の下部領域に表示画面３７の左右方向に沿って伸びるように配置する。
【００９０】
図８（ａ）及び図８（ｂ）に示す例によれば、前記したように、レンズデータ３４が表示される屈折力表示欄４１は、表示画面３７に複数の視標１１が表示画面３７の上下方向に沿って配列して表示されるときは該表示画面の上下方向に沿って伸びるように表示画面３７上に配置され、表示画面３７に複数の視標１１が表示画面３７の左右方向に沿って配列して表示されるときは該表示画面の左右方向に沿って伸びるように表示画面３７上に配置されることから、屈折力表示欄４１は、検査時に表示画面３７に表示された各視標１１を見る被検眼の移動方向に沿って伸びる。
【００９１】
これにより、表示画面３７に表示された各視標１１と屈折力表示欄４１との間隔がその伸長方向に沿ってほぼ一様になるので、被検眼の検査時に被検眼が各視標１１をその配列方向に順次見たとき、屈折力表示欄４１が各視標１１の配列方向に直交する方向に沿って伸びるように表示画面３７に表示される場合とは異なり、被検眼が移動するに従って該被検眼に映るレンズデータ３４が少しずつ明確になったり少しずつ不明確になったりすることはない。従って、被検眼の移動時に該被検眼に映るレンズデータ３４の明確さが変化することによって視標１１を見る被検眼の視認の妨げになることを、確実に防止することができる。
【００９２】
図８（ａ）及び（ｂ）に示す例では、行列状に配置された複数の視標１１である前記したランドルト環のうち同一の視力値に対応する大きさを有する前記各ランドルト環が行方向すなわち表示画面３７の左右方向に配列され、且つ、互いに異なる視力値に対応する大きさを有する前記各ランドルト環が列方向すなわち表示画面３７の上下方向に下方へ向けて視力値が小さくなるように配列されるように、前記各ランドルト環が表示画面３７に表示された例を示したが、これに代えて、同一の視力値に対応する大きさを有する前記各ランドルト環を表示画面３７の上下方向に配列し、互いに異なる視力値に対応する大きさを有する前記各ランドルト環を表示画面３７の左右方向に例えば左から右に向けて視力値が小さくなるように配列することができる。
【００９３】
この場合、例えば図８（ａ）に示す状態において視標１１である前記各ランドルト環の行列を入れ替えることにより、図８（ａ）に示す状態から図９に示す状態に切り替えることができる。この場合、例えば操作部２４に前記各ランドルト環の行列を入れ替えるための図示しない入れ替えスイッチを設け、該入れ替えスイッチの操作により前記各ランドルト環の行列の入れ替え行うことができる。
【００９４】
例えば、前記入れ替えスイッチが操作されると、ＣＰＵ２８は、前記入れ替えスイッチが操作されたことを検知し、表示画面３７に表示された前記各ランドルト環の行列を入れ替えて表示することを示す制御信号を画像出力部２７に送る。
【００９５】
画像出力部２７は、ＣＰＵ２８から前記各ランドルト環の行列を入れ替える旨の制御信号を受けると、前記各ランドルト環の行と列とを互いに入れ替える画像処理を行い、行列が入れ替えられた前記各ランドルト環を表示画面３７に表示する旨の視標画像信号を第二の出力ポート４４を介して表示部２５に出力する。
【００９６】
図９に示す例によれば、例えば図８（ａ）に示す状態で、複数の視標１１を表示画面３７の上下方向に沿って順次見せる検査すなわち視力値が異なる複数のランドルト環を被検眼に順次見せることにより該被検眼の視力を検査しているときに、その検査から、左右方向に沿って順次見せる検査すなわち視力値が同一の複数のランドルト環であって切れ目部分の方向が互いに異なる複数のランドルト環を被検眼に順次見せることによる該被検眼の視力の検査に切り替えるとき、前記切り替えスイッチを操作することによって前記各ランドルト環の行と列とを入れ替えることにより、表示画面３７への屈折力表示欄４１の表示位置の切り替えを行うべく前記検査選択スイッチを操作することなく、屈折力表示欄４１を表示画面３７にその上下方向に沿って伸びるように表示した状態で、視力値が同一の複数のランドルト環を被検眼に順次見せる検査を行うことができる。
【００９７】
これにより、視力値が異なる複数のランドルト環を用いた検査と視力値が同一の複数のランドルト環を用いた検査とを、表示画面３７に表示された各視標１１を検査時に見る被検眼の移動方向を変えることなく同一の移動方向に移動させることで行うことができるので、検査毎に被検眼の移動方向が変わることによって被検者１２に混乱が生じることを、確実に防止することができる。
【００９８】
また、本実施例では、屈折力表示欄４１に表示された球面度数、乱視度数、軸角度、加入、水平方向のプリズム量Ｈ及び垂直方向のプリズム量Ｖをそれぞれ示す画像が、それぞれ文字「球面」、「乱視」、「軸」、「加入」、「プリズムＨ」及び「プリズムＶ」で構成された例を示したが、これに代えて、それらを示す画像をそれぞれ例えば記号及びアイコン等のように文字以外で構成することができる。
【００９９】
この場合、検査時に表示画面３７に表示された視標１１を被検眼が見たとき、視界に入る乱視度数、軸角度、加入、水平方向のプリズム量Ｈ及び垂直方向のプリズム量Ｖを示す画像を、それぞれ該画像が文字で構成されている場合に比べて読み難くすることができる。これにより、検査時に視界に入る文字を読んでしまうことにより視標１１を集中して見ることができなくなることを、確実に防止することができる。
【０１００】
更に、本実施例において、表示部２５が第二の表示モードにおかれたとき、表示画面３７に表示されたレンズデータ３４と屈折力表示欄４１との色の濃さをそれぞれ表示画面３７に表示される視標１１の色の濃さよりも薄くすることができる。
【０１０１】
この場合、表示画面３７に表示されたレンズデータ３４及び屈折力表示欄４１がそれぞれ視標１１よりも目立たなくなるので、被検者が検査時に視認する必要がないレンズデータ３４及び屈折力表示欄４１を意識することを確実に抑制することができる。また、検査時に被検者が視認すべき視標１１と視認する必要がないレンズデータ３４及び屈折力表示欄４１とが同一の表示画面３７に同一の色の濃さで表示されていることによる違和感を確実に緩和することができる。
【図面の簡単な説明】
【０１０２】
【図１】本発明に係る自覚式検眼装置を概略的に示す斜視図である。
【図２】本発明に係る自覚式検眼装置を概略的に示すブロック図である。
【図３】本発明に係るコントローラを概略的に示す平面図である。
【図４】本発明に係る表示部が第一の表示モードにおかれた状態を概略的に示す正面図である。
【図５】本発明に係る表示部が第二の表示モードにおかれた状態を概略的に示す正面図である。
【図６】本発明に係る被検者、検者及びコントローラの位置関係を概略的に示す説明図である。
【図７】図５とは別の実施例に係る表示画面を概略的に示す正面図である。
【図８（ａ）】表示画面の上下方向に沿った検査を行うときの表示画面への屈折力表示欄の表示状態を概略的に示す正面図である。
【図８（ｂ）】表示画面の左右方向に沿った検査を行うときの表示画面への屈折力表示欄の表示状態を概略的に示す正面図である。
【図９】図８（ａ）に示す状態において互いに異なる視力値に対応する大きさの複数の視標が表示画面の左右方向に沿って配列して表示された例を概略的に示す正面図である。
【符号の説明】
【０１０３】
１０  自覚式検眼装置
１１  視標
１３  視標呈示部
１４  光学素子配置装置（矯正装置）
２４  操作部
２５  表示部
２８  制御部（ＣＰＵ）
３４  光学素子データ（レンズデータ）
３７  表示画面
４１  表示欄（屈折力表示欄）
【図１】
2008148930.tif 000003
【図２】
2008148930.tif 000004
【図３】
2008148930.tif 000005
【図５】
2008148930.tif 000006
【図６】
2008148930.tif 000007
【図７】
2008148930.tif 000008
【図８（ａ）】
2008148930.tif 000009
【図８（ｂ）】
2008148930.tif 000010
【図９】
2008148930.tif 000011
【図４】
2008148930.tif 000012